(57)【要約】【課題】端末装置と操作者とを係留するためにその端末装置に設けられるストラップを用いて、操作者と端末装置との距離に応じて適正に動作仕様を変更させる。【解決手段】端末装置１は、筐体外に引き出し自在に当該筐体内に収納されるストラップを有し、引出量検出部６０で検出されたそのストラップの筐体からの引き出し長さに応じて、スキャナ部５０での撮像状態（撮像範囲、撮影モード）、音声出力部７０で出力する音波（音量、トーン）、表示部２０に表示する表示状態（表示フォントサイズ、表示輝度）等の制御を制御部１０で行う。【選択図】図４
2008084097.tif 000002
【特許請求の範囲】
【請求項１】
筐体外に引き出し自在に当該筐体内に収納されたストラップを有し、
音波を出力する音波出力手段と、
前記ストラップの前記筐体からの引き出し長さを検出する検出手段と、
前記検出手段により検出されたストラップ引き出し長さ量に応じて前記音波出力手段の音波出力を制御する制御手段と、
を備えることを特徴とする端末装置。
【請求項２】
前記検出手段により検出されるストラップ引き出し長さ量に応じた前記音波出力手段の音波出力を定めた対応テーブルを記憶する記憶手段を有し、
前記制御手段は、前記検出手段から入力されるストラップ引き出し長さ量に対応する音波出力を前記記憶手段に記憶された対応テーブルを参照して制御することを特徴とする請求項１に記載の端末装置。
【請求項３】
外部機器と接続する接続手段と、
前記外部機器から接続手段を介して転送される情報に基づいて、前記記憶手段が記憶する対応テーブルを設定する設定手段と、
を更に備えることを特徴とする請求項２に記載の端末装置。
【請求項４】
前記制御手段は、前記音波出力手段から音波出力の音量又は音波出力のトーンを制御することを特徴とする請求項１〜３のいずれか一項に記載の端末装置。
【請求項５】
筐体外に引き出し自在に当該筐体内に収納されたストラップを有し、
画像を撮像する撮像手段と、
前記ストラップの前記筐体からの引き出し長さを検出する検出手段と、
前記検出手段により検出されたストラップ引き出し長さ量に応じて前記撮像手段の撮像状態を制御する制御手段と、
を備えることを特徴とする端末装置。
【請求項６】
前記検出手段により検出されるストラップ引き出し長さ量に応じた前記撮像手段の撮像状態を定めた対応テーブルを記憶する記憶手段を有し、
前記制御手段は、前記検出手段から入力されるストラップ引き出し長さ量に対応する撮像状態を前記記憶手段に記憶された対応テーブルを参照して制御することを特徴とする請求項５に記載の端末装置。
【請求項７】
外部機器と接続する接続手段と、
前記外部機器から接続手段を介して転送される情報に基づいて、前記記憶手段が記憶する対応テーブルを設定する設定手段と、
を更に備えることを特徴とする請求項６に記載の端末装置。
【請求項８】
前記制御手段は、前記撮像手段の撮像状態として撮像範囲を制御することを特徴とする請求項５〜７のいずれか一項に記載の端末装置。
【請求項９】
前記制御手段は、前記撮像手段の撮像状態として近接撮影モードへの切り換えを制御することを特徴とする請求項５〜８のいずれか一項に記載の端末装置。
【請求項１０】
筐体外に引き出し自在に当該筐体内に収納されたストラップを有し、
表示手段と、
前記ストラップの前記筐体からの引き出し長さを検出する検出手段と、
前記検出手段により検出されたストラップ引き出し長さ量に応じて前記表示手段の表示状態を制御する制御手段と、
を備えることを特徴とする端末装置。
【請求項１１】
前記検出手段により検出されるストラップ引き出し長さ量に応じた前記表示手段の表示状態を定めた対応テーブルを記憶する記憶手段を有し、
前記制御手段は、前記検出手段から入力されるストラップ引き出し長さ量に対応する表示状態を前記記憶手段に記憶された対応テーブルを参照して制御することを特徴とする請求項１０に記載の端末装置。
【請求項１２】
外部機器と接続する接続手段と、
前記外部機器から接続手段を介して転送される情報に基づいて、前記記憶手段が記憶する対応テーブルを設定する設定手段と、
を更に備えることを特徴とする請求項１１に記載の端末装置。
【請求項１３】
前記制御手段は、前記表示手段の表示状態として表示フォントサイズを制御することを特徴とする請求項１０〜１２のいずれか一項に記載の端末装置。
【請求項１４】
前記制御手段は、前記表示手段の表示状態として表示輝度を制御することを特徴とする請求項１０〜１３のいずれか一項に記載の端末装置。
【発明の詳細な説明】
【技術分野】
【０００１】
本発明は、筐体外に引き出し自在に当該筐体内に収納されるストラップを有する端末装置に関する。
【背景技術】
【０００２】
従来、ＰＯＳ（Point  Of  Sales）管理システムを用いた商品販売などでは、商品棚や商品倉庫等の作業現場において、携帯端末（以下、「端末装置」という）を用いたＰＯＳへの商品情報の登録や確認などが行われている。この端末装置を用いた操作では、操作者が端末装置を手元に近づけて表示画面を確認する場合や、端末装置を商品に近づけて商品に添付された商品コードを読み取る場合などがある。
【０００３】
端末装置を操作者の手元に近づけて作業を行う場合は、表示画面の文字サイズなどを小さくして、多くの情報を表示させることが、作業効率の面からも好ましい。また、この場合は、操作者側に端末装置が近づくことで、端末装置と商品との距離が相対的に遠ざかる。このため、商品に添付される商品コードを読み取る際には、スキャン角を広くした方が商品コードを読み取りやすく、作業しやすい。
【０００４】
逆に、端末装置を商品に近づけて作業を行う場合は、端末装置と操作者との距離が遠ざかるため、表示画面の文字サイズを大きくし、音声出力の音量を大きくした方が確認しやすくなる。また、この場合、商品コードをスキャンする際には、スキャン角を狭くして読取精度を向上させた方が作業しやすい。
【０００５】
上述したように、端末装置においては、その動作仕様を操作者との距離に応じて適正に変更することで、作業効率を向上させることが可能となる。この様に、端末装置の動作仕様を操作者との距離に応じて変更する技術としては、特許文献１〜３に示すようなものがある。
【０００６】
特許文献１には、センサ部で計測された距離が予め定義した閾値よりも小さい場合には音声出力部より認識結果を提示し、閾値以上の場合には表示部に認識結果を提示する携帯型端末装置に関する技術が開示されている。また、特許文献２には、距離に応じて音声出力の音量または音声入力の音声入力感度を調整する携帯情報端末装置に関する技術が開示されている。また、特許文献３には、入力デバイスと表示デバイスとの間の距離に応じてカーソルサイズや文字サイズを変更する出力制御装置に関する技術が開示されている。
【特許文献１】特開平６−１２４０９７号公報
【特許文献２】特開平１１−３０５９８４号公報
【特許文献３】特開２００２−１４７５２号公報
【発明の開示】
【発明が解決しようとする課題】
【０００７】
上述した端末装置は、操作者の手元に近づけたり、商品に近づけたりした際に、誤って床に落下させ、破損させてしまうことを防止する為に、操作者の首などに係留可能なストラップが設けられているものが一般的である。操作者は、ストラップを掛けて作業を行うことで、万が一に作業中に端末装置を手から滑らせた場合でも、端末装置の落下がストラップ長程度で済むため、床まで端末装置を落下させることがない。
【０００８】
しかしながら、従来技術では、このストラップの機能は端末装置の床への落下防止にしか活用されておらず、上述した操作者と端末装置との距離に応じて、その動作仕様を適正に変更することには何ら寄与することがなかった。
【０００９】
本発明の課題は、端末装置と操作者とを係留するためにその端末装置に設けられるストラップを用いて、操作者と端末装置との距離に応じて適正に動作仕様を変更させることである。
【課題を解決するための手段】
【００１０】
本発明は、筐体外に引き出し自在に当該筐体内に収納されたストラップを有し、
音波を出力する音波出力手段と、
前記ストラップの前記筐体からの引き出し長さを検出する検出手段と、
前記検出手段により検出されたストラップ引き出し長さ量に応じて前記音波出力手段の音波出力を制御する制御手段と、
を備えることを特徴とする。
【００１１】
また、本発明は、筐体外に引き出し自在に当該筐体内に収納されたストラップを有し、
画像を撮像する撮像手段と、
前記ストラップの前記筐体からの引き出し長さを検出する検出手段と、
前記検出手段により検出されたストラップ引き出し長さ量に応じて前記撮像手段の撮像状態を制御する制御手段と、
を備えることを特徴とする。
【００１２】
また、本発明は、筐体外に引き出し自在に当該筐体内に収納されたストラップを有し、
表示手段と、
前記ストラップの前記筐体からの引き出し長さを検出する検出手段と、
前記検出手段により検出されたストラップ引き出し長さ量に応じて前記表示手段の表示状態を制御する制御手段と、
を備えることを特徴とする。
【発明の効果】
【００１３】
本発明によれば、端末装置に設けられるストラップで、操作者と端末装置との距離に応じて適正に動作仕様を変更させることができる。
【発明を実施するための最良の形態】
【００１４】
以下、この発明の実施の形態について図を参照して説明するが、この発明は以下の実施の形態に限定しない。また、この発明の実施の形態は発明の最も好ましい形態を示すものであり、発明の用途や用語はこれに限定するものではない。
【００１５】
［第１の実施の形態］
先ず、第１の実施の形態について、図１〜図７を参照して説明する。図１は、端末装置１の正面外観を例示する概念図である。図２（ａ）は、操作者ＨがストラップＳＴを掛けて端末装置１を利用する一例を示す概念図であり、図２（ｂ）は、操作者ＨがストラップＳＴを掛けて端末装置１を利用する一例を示す概念図である。図３は、ストラップ収納部２の内部構成を例示する概念図である。図４は、端末装置１の機能的構成を模式的に示すブロック図である。図５（ａ）は、端末装置１の動作処理を例示するフローチャートであり、図５（ｂ）は、端末装置１のスキャナ読取処理を例示するフローチャートである。図６（ａ）は、端末装置１の音声出力処理を例示するフローチャートであり、図６（ｂ）は、端末装置１の表示処理を例示するフローチャートである。図７（ａ）は、端末装置１のスキャナ読取処理の変形例を例示するフローチャートであり、図７（ｂ）は、端末装置１の動作処理の変形例を例示するフローチャートである。
【００１６】
図１に示すように、本実施の形態では、操作者が片手で持って作業可能な端末装置１に適用した例を示す。端末装置１には、各種情報を画面表示するＬＣＤ（Liquid  Crystal Display）などである表示部２０、カーソルキー、数字キー、各種機能キーなどを有する操作部３０が設けられている。
【００１７】
また、端末装置１は、筐体外に引き出されるストラップＳＴの長さを調節可能に収納するストラップ収納部２が設けられている。ストラップＳＴは、一端がストラップ収納部２の内部に巻き取られて収納され、引き出される側の端部を操作者の首や手首などに掛けることで、端末装置１を操作者に係留できるようになっている。なお、ストラップ収納部２に収納されるストラップＳＴには、余分なストラップＳＴが筐体外に引き出されて作業の邪魔にならないように、その収納方向へテンションがかかっている。また、ストラップＳＴは、引き出される側の端部が操作者の首、延長するための他のストラップ等と接続し易いようにリングが形成されているものが好ましい。
【００１８】
このため、操作者が端末装置１のストラップＳＴを首などにかけて使用する場合は、手元で使用する場合と、商品などに近づけて使用する場合とで、ストラップ収納部２から引き出されるストラップＳＴの長さが異なることとなる。例えば、図２（ａ）に示すように、操作者Ｈが手元で端末装置１を使用する時や、単に首に掛けている時は、ストラップＳＴが引出量Ｌ１だけ引き出された状態となる。また、図２（ｂ）に示すように、操作者Ｈが手などを伸ばすことで商品などに端末装置１を近づけて使用する時は、ストラップＳＴが引出量Ｌ２だけ引き出された状態となる。
【００１９】
ここで、ストラップＳＴを収納するとともに、端末装置１の外に引き出されるストラップＳＴの長さを可変自在にするストラップ収納部２の内部構成を詳細に説明する。図３に示すように、ストラップ収納部２の内部には、ストラップＳＴを巻き付けて収納する巻き取りプーリ２０２と歯車２０３とが軸２０１により回転が同調するように接続されている。なお、軸２０１には、特に図示しないゼンマイバネが設けられており、巻き取りプーリ２０２をストラップＳＴを巻き取る方向に回転させるようになっている。
【００２０】
歯車２０３は、その隙間に軸２０４で固定されたシーソー機構のロックピン２０５の一端が揺動して噛み合うことで、回転のロック又は解除が可能となっている。なお、ロックピン２０５の歯車２０３と噛み合う端部と反対側の端部側には、シーソー機構による端部の揺動を検出するための引出量検出スイッチ２０６、２０７が設けられている。
【００２１】
引出量検出スイッチ２０６は、ロックピン２０５の端部が揺動して接触したことを検出するスイッチなどであり、ストラップＳＴがストラップ収納部２から引き出される際の歯車２０３の回転により生じるロックピン２０５の揺動を検出する。同様に、引出量検出スイッチ２０７は、ストラップＳＴがストラップ収納部２に収納される際の歯車２０３の回転により生じるロックピン２０５の揺動を検出する。
【００２２】
ストラップ収納部２は、上述した引出量検出スイッチ２０６、２０７でロックピン２０５の揺動を検出することで、ストラップＳＴが筐体外に引き出されている長さ量（以下、単に「引出量」という）を検出することができる構成である。なお、ストラップ収納部２におけるストラップＳＴの引出量を検出する構成は、上記構成以外に、例えば、巻き取りプーリ２０２の回転をロータリーエンコーダ等で検出する構成などであってもよく、特に限定しない。
【００２３】
次に、端末装置１の機能的構成について詳細に説明する。図４に示すように、端末装置１は、制御部１０、表示部２０、操作部３０、記憶部４０、スキャナ部５０、引出量検出部６０、音声出力部７０、電源部８０を有し、その各部がバスなどで互いに接続される構成である。
【００２４】
制御部１０は、特に図示しないＣＰＵ（Central  Processing  Unit）、ＲＯＭ（Read  Only  Memory）、ＲＡＭ（Random  Access  Memory）などを有し、ＲＯＭや記憶部４０に予め格納されたプログラムデータや各種データをＲＡＭの作業領域に展開して順次実行し、端末装置１の動作を統括制御する。具体的には、制御部１０は、後述する動作処理を行うことで、引出量検出部６０で検出されるストラップＳＴの引出量と、記憶部４０に記憶される引出量対応動作テーブル４１とに基づいて、ストラップＳＴの引出量に応じた動作仕様で各部の動作を制御する。
【００２５】
表示部２０は、制御部１０からの表示信号に基づいた表示フォントや輝度で、各種情報を画面表示する。操作部３０は、前述したキーの押下などに応じた操作信号を制御部１０に出力する。記憶部４０は、ＨＤＤ（Hard  Disk  Drive）や半導体メモリ等から構成され、制御部１０が読み出して実行するプログラムデータ、コードと商品情報などとの対応を示すコード情報、引出量対応動作テーブル４１等を記憶する。
【００２６】
引出量対応動作テーブル４１は、引出量検出部６０で検出されるストラップＳＴの引出量に対応する表示部２０の表示状態（例えば、引出量に応じた文字サイズの大小や表示輝度等）、ストラップＳＴの引出量に対応するスキャナ部５０での撮像状態（例えば、引出量に応じたスキャン角の大小や引出量に応じた遠影撮影モード又は近影撮影モードの切替等）、ストラップＳＴの引出量に対応する音声出力部７０の音声出力状態（例えば、引出量に応じた音量の大小やトーンの高低等）など、ストラップＳＴの引出量に応じた動作仕様で各部を制御するための情報を格納するテーブルである。
【００２７】
この引出量対応動作テーブル４１は、工場出荷時などに予め設定されており、制御部１０が設定用プログラムを実行することで行われる設定処理により、表示部２０に設定画面を表示し、操作部３０からの設定指示を受け付けることで、設定値の変更が可能なデータである。
【００２８】
スキャナ部５０は、制御部１０の制御の下、レーザ光源からのレーザ光をポリゴンミラーで反射させて、商品などに添付された識別コード部分へ参照光を照射し、その反射光を受光素子で検出してコードの読取を行う機能部である。スキャナ部５０における参照光の照射角、つまり、読取範囲（一次元の撮像範囲）であるスキャン照射角は、レーザ光源の点灯時間を制御することで調整可能である。なお、コードの具体的な例としては、ＪＡＮコード、ＵＰＣコード、ＣＤＤＥ３９等の一次元バーコードなどがある。
【００２９】
また、スキャナ部５０は、上述したレーザ光源によるコード読取を行う構成以外に、制御部１０の制御の下、アクチュエータなどで位置調整が可能な光学レンズ及びＣＣＤ（Charge Coupled Devices）やＣＭＯＳ（Complementary  Metal  Oxide  Semiconductor）などの撮像素子を有する構成であり、コードを画像として撮像する機能部であってもよい。この場合は、ＱＲコード（登録商標）、ＰＤＦ４１７、Ｄａｔａ  Ｍａｔｒｉｘ、Ｍａｘｉ  Ｃｏｄｅ等の二次元コードの読み取りを行うことができる。
【００３０】
上述した光学レンズと撮像素子とによるスキャナ部５０においては、光学レンズの位置の調節や、撮像素子上で画像として取得する領域を調節することで、画角（撮像範囲）の調整を行う。また、光学レンズの位置などの調整を行うことで、無限遠〜中距離程度にピントを合わせた通常撮影モード、近距離にピントを合わせた近接撮影モード等の撮影モードの切り替えを行う。
【００３１】
引出量検出部６０は、前述したストラップ収納部２の引出量検出スイッチ２０６、２０７の出力信号をカウントする回路部などであり、ストラップＳＴの引出量に応じた検出信号を制御部１０へ出力する。
【００３２】
音声出力部７０は、音声合成回路、アンプ及びスピーカなどを有し、制御部１０からの制御信号に基づいた音波を出力する機能部である。具体的には、制御部１０からの信号に基づいた音量やトーンで音声の出力を行う。
【００３３】
電源部８０は、外部から供給される商用電力や一次電池又は二次電池から供給される電力を変換し、制御部１０からの制御や操作部３０の電源キーの操作等に応じて、端末装置１の各部にその変換後の電力を供給する。なお、電源部８０は、外部からの商用電力により二次電池を充電する構成を備えても良い。
【００３４】
次に、制御部１０がプログラムデータを順次実行して行う動作処理について詳細に説明する。図５（ａ）に示すように、制御部１０は、操作部３０などのキー操作により、商品コードなどを読み取るためのスキャン（撮像）開始指示が入力されたか否かを判定して（ステップＳ１）、スキャン開始指示が入力されるまで処理を待機する。
【００３５】
次いで、スキャン開始が指示されると、スキャナ部５０を駆動したスキャナ読取（撮像）処理が行われ（ステップＳ２）、その読取コードと記憶部４０などに格納されたコード情報との比較による商品の識別を行うなどの読取コード識別処理が行われ（ステップＳ３）、識別の可否などを音声出力する音声出力処理（ステップＳ４）、その識別結果を読取情報として表示部２０に画面表示する表示処理が行われて（ステップＳ５）、終了する。
【００３６】
スキャナ読取処理では、図５（ｂ）に示すように、引出量検出部６０でストラップＳＴの引出量が検出され（ステップＳ２１）、この検出された引出量を基に引出量対応動作テーブル４１が参照され（ステップＳ２２）、引出量に対応するスキャン照射角にスキャナ部５０のスキャン角が調整されて（ステップＳ２３）、スキャナ部５０によるコード読取が行われる（ステップＳ２４）。
【００３７】
引出量対応動作テーブル４１には、ストラップＳＴの引出量に応じたスキャン照射角の大小として、例えば、引出量が「０〜１５ｃｍ」の場合のスキャン照射角「５５°」、引出量が「１５〜３０ｃｍ」の場合のスキャン照射角「５０°」、引出量が「３０ｃｍ〜」の場合のスキャン照射角「４５°」等が設定されている。
【００３８】
このため、上述したスキャナ読取処理では、ストラップＳＴの引出量に応じたスキャン照射角でのコード読取を行うことができる。つまり、端末装置１が操作者に近い所（端末装置１と商品との距離が遠い）で操作され、ストラップＳＴの引出量が少ない場合はスキャン照射角を広くし、端末装置１が操作者に遠い所（端末装置１と商品との距離が近い）で操作され、ストラップＳＴの引出量が多い場合はスキャン照射角を狭くすることができ、コードを読み取り易くすることができる。
【００３９】
音声出力処理では、図６（ａ）に示すように、引出量検出部６０でストラップＳＴの引出量が検出され（ステップＳ４１）、この検出された引出量を基に引出量対応動作テーブル４１が参照され（ステップＳ４２）、引出量に対応する音量に音声出力部７０における音声出力が調整されて（ステップＳ４３）、前述した識別の可否（成功／失敗）を示す読取音を音声出力部７０で鳴動させる（ステップＳ４４）。
【００４０】
引出量対応動作テーブル４１には、ストラップＳＴの引出量に応じた音量の大小として、例えば、引出量が「０〜１５ｃｍ」の場合の音量「小音量」、引出量が「１５〜３０ｃｍ」の場合の音量「中音量」、引出量が「３０ｃｍ〜」の場合の音量「大音量」等が設定されている。
【００４１】
このため、上述した音声出力処理では、ストラップＳＴの引出量に応じた音量でコード識別の可否等の音声出力を行うことができる。つまり、端末装置１が操作者に近い所で操作され、ストラップＳＴの引出量が少ない場合は音量を小さくし、端末装置１が操作者に遠い所で操作され、ストラップＳＴの引出量が多い場合は音量を大きくすることができ、操作者と端末装置１との距離に応じた適正な音量で音声出力を行うことができる。
【００４２】
なお、上述した音声出力処理では、ストラップＳＴの引出し長さに応じて音量を変更する例を示したが、特にこの処理に限定するものではない。例えば、引出量対応動作テーブル４１にはストラップＳＴの引出し長さに応じた音声トーンが設定されており、引出し長さに応じて音声トーンを変更する音声出力処理であってもよい。
【００４３】
表示処理では、図６（ｂ）に示すように、引出量検出部６０でストラップＳＴの引出量が検出され（ステップＳ５１）、この検出された引出量を基に引出量対応動作テーブル４１が参照され（ステップＳ５２）、引出量に対応する表示フォントに表示部２０における表示フォントサイズが設定されて（ステップＳ５３）、前述した識別結果が読取情報として表示部２０に表示される（ステップＳ５４）。
【００４４】
引出量対応動作テーブル４１には、ストラップＳＴの引出量に応じた表示フォントサイズとして、例えば、引出量が「０〜１５ｃｍ」の場合の表示フォントサイズ「標準」、引出量が「１５〜３０ｃｍ」の場合の表示フォントサイズ「大」、引出量が「３０ｃｍ〜」の場合の表示フォントサイズ「最大」等が設定されている。
【００４５】
このため、上述した表示処理では、ストラップＳＴの引出量に応じた表示フォントサイズでコード識別による読取結果等の画面表示を行うことができる。つまり、端末装置１が操作者に近い所で操作され、ストラップＳＴの引出量が少ない場合は画面の表示フォントサイズを標準にし、端末装置１が操作者に遠い所で操作され、ストラップＳＴの引出量が多い場合は画面の表示フォントサイズを大きくすることができ、操作者と端末装置１との距離に応じた適正な表示フォントサイズで見易い画面表示を行うことができる。
【００４６】
なお、上述した表示処理では、ストラップＳＴの引出し長さに応じて表示フォントサイズを変更する例を示したが、特にこの処理に限定するものではない。例えば、引出量対応動作テーブル４１にはストラップＳＴの引出し長さ応じた表示輝度が設定されており、引出し長さに応じて表示輝度を変更する表示処理であってもよい。この場合は、操作者と端末装置１との距離に応じた適正な輝度で見易い画面表示を行うことができる。
【００４７】
［スキャナ読取処理の変形例］
ここで、スキャナ部５０がコードを画像として撮像する機能部である場合のスキャナ読取処理について詳細に説明する。この場合は、図７（ａ）に示すように、引出量検出部６０でストラップＳＴの引出量が検出され（ステップＳ２０１）、この検出された引出量を基に引出量対応動作テーブル４１が参照され（ステップＳ２０２）、引出量に対応する撮影モードにスキャナ部５０の撮影モードが切替られて（ステップＳ２０３）、スキャナ部５０によるコード撮影が行われる（ステップＳ２０４）。
【００４８】
引出量対応動作テーブル４１には、ストラップＳＴの引出量に応じた撮影モードとして、例えば、引出量が「０〜１０ｃｍ」の場合の撮影モード「マクロ撮影」、引出量が「１０ｃｍ〜」の場合の撮影モード「通常撮影」等が設定されている。
【００４９】
このため、上述したスキャナ読取処理では、ストラップＳＴの引出量に応じた撮影モードでコード撮影を行うことができる。つまり、端末装置１が操作者に近い所（端末装置１と商品との距離が遠い）で操作され、ストラップＳＴの引出量が少ない場合は通常撮影モードに設定し、端末装置１が操作者に遠い所（端末装置１と商品との距離が近い）で操作され、ストラップＳＴの引出量が多い場合はマクロモードに設定することができ、端末装置１と商品との距離に対応した撮影モードでコードを読み取り易くすることができる。
【００５０】
［動作処理の変形例］
ここで、制御部１０がプログラムデータを順次実行して行う動作処理の変形例について、図７（ｂ）を参照しながら詳細に説明する。
【００５１】
図７（ｂ）に示すように、制御部１０は、ストラップＳＴの引出量を引出量検出部６０で検出し（ステップＳ３０１）、この検出した引出量を基に引出量対応動作テーブル４１を参照し（ステップＳ３０２）、その引出量に対応する表示フォントサイズに表示部２０の表示フォントサイズの設定を変更し（ステップＳ３０３）、表示部２０の表示画面を再描画する（ステップＳ３０４）。上述した動作処理を実行することで、端末装置１は、ストラップＳＴの引出量に応じた表示設定を行うことができる。
【００５２】
つまり、図５（ａ）に示す動作処理では、スキャナ読取処理（ステップＳ２）、音声出力処理（ステップＳ４）、表示処理（ステップＳ５）を一連の処理として行う構成であった。しかしながら、端末装置１が行う動作処理は、図７（ｂ）に示すように、図５（ａ）でいうところの表示処理（ステップＳ５）のみを単独で行う処理であってもよい。なお、図５（ａ）におけるスキャナ読取処理、音声出力処理等を単独で行う処理については、本変形例の内容及び前述したスキャナ読取処理、音声出力処理の内容から容易に知り得ることなので説明を省略する。
【００５３】
以上のように、端末装置１は、ストラップ収納部２により筐体外に引き出し自在に当該筐体内に収納されるストラップＳＴを有し、引出量検出部６０で検出されたそのストラップＳＴの筐体からの引き出し長さに応じて、スキャナ部５０での撮像状態（撮像範囲、撮影モード）、音声出力部７０で出力する音波（音量、トーン）、表示部２０に表示する表示状態（表示フォントサイズ、表示輝度）等の制御を制御部１０で行う構成である。このため、端末装置１は、ストラップＳＴを用いて操作者と当該端末装置１との距離に応じた適正な動作仕様（撮像、表示、音波出力）にすることができる。
【００５４】
また、端末装置１は、ストラップＳＴの引出量に応じたスキャナ部５０での撮像状態（撮像範囲、撮影モード）、ストラップＳＴの引出量に応じた音声出力部７０で出力する音波（音量、トーン）、ストラップＳＴの引出量に応じた表示部２０に表示する表示状態（表示フォントサイズ、表示輝度）等が定められた引出量対応動作テーブル４１を記憶する記憶部４０を有し、制御部１０はその記憶部４０を参照して撮像状態、音波出力、表示状態を制御する構成である。このため、端末装置１は、引出量対応動作テーブル４１を用いてストラップＳＴの引出量に応じた動作仕様（撮像、表示、音波出力）を定めることができる。
【００５５】
［第２の実施の形態］
次に、第２の実施の形態について、図８を参照して説明する。なお、簡略化のため、前述した第１の実施の形態と同様な構成については、同一の符号を付して説明を省略する。
【００５６】
図８に示すように、端末装置１ａは、いわゆるパーソナルコンピュータ等の情報機器である端末ＰＣとデータ通信可能に接続するためのＩＦ部９０を有する構成である。
【００５７】
ＩＦ部９０は、制御部１０の制御の下、他の機器とのデータ通信可能に接続する通信インターフェイスであって、例えば、ＵＳＢ（universal serial bus）やＩＥＥＥ１２８４、ＩＥＥＥ１３９４、ＰＣＭＣＩＡ等でデータ通信可能な通信コネクタ及び通信回路などにより構成されている。
【００５８】
端末ＰＣは、特に図示しないＣＰＵ、ＲＯＭ、ＲＡＭ、ＣＲＴ（Cathode Ray Tube）やＬＣＤ（Liquid Crystal Display）等の表示部、キーボード、マウス等の操作部、ＨＤＤ等の記憶部ＰＣ１を有する構成である。端末ＰＣは、記憶部ＰＣ１などに記憶されたアプリケーションプログラムをＣＰＵが実行することで、表示部に設定画面を表示し、操作部からの設定指示を受け付ける。そして、ＣＰＵは、前述した引出量対応動作テーブル４１と同様な引出量に対応する動作仕様を設定したＣＳＶ（Comma Separated Values）等の形式のテーブルデータを生成し、引出量対応動作テーブル４１ａとして記憶部ＰＣ１に記憶させる。
【００５９】
端末装置１ａは、制御部１０の制御の下、ＩＦ部９０を介して端末ＰＣとデータ通信可能に接続された際に、記憶部ＰＣ１に記憶された引出量対応動作テーブル４１ａを受信して、記憶部４０に引出量対応動作テーブル４１として記憶又は既に記憶されている引出量対応動作テーブル４１の更新を行う。つまり、端末装置１ａは、ＩＦ部９０を介して外部機器である端末ＰＣと接続し、そのＩＦ部９０を介して転送される引出量対応動作テーブル４１ａに基づいて引出量対応動作テーブル４１を設定する構成である。このため、端末装置におけるストラップの引出量に対応する動作仕様の設定を端末ＰＣで一括して行って、個々の端末装置に転送させることができ、引出量対応動作テーブル４１の設定を容易にさせることができる。
【００６０】
［第３の実施の形態］
次に、第３の実施の形態について説明する。なお、簡略化のため、前述した実施の形態と同様な構成については、同一の符号を付して説明を省略する。
【００６１】
図９に示すように、端末装置１ｂは、外部からの商用電力や一次電池又は二次電池であるメイン電源８１及び当該メイン電源８１とは別の２次電池である予備電源８２が設けられた電源部８０ａを有する構成である。
【００６２】
予備電源８２は、前述した図３におけるストラップ収納部２の巻き取りプーリ２０２と接続し、その回転を受けて発電する特に図示しないダイナモにより充電可能な構成である。つまり、予備電源８２には、ストラップＳＴの引出／収納によって電力が充電される。
【００６３】
このため、端末装置１ｂは、メイン電源８１からの電力供給が途絶えた際に予備電源８２に切り替えることで、ストラップＳＴの引出／収納によって蓄えられた電力で作業を継続することができる。
【００６４】
なお、本実施の形態における記述は、一例を示すものであり、これに限定するものではない。本実施の形態における構成及び動作に関しては、要旨を逸脱しない範囲で適宜変更が可能である。
【図面の簡単な説明】
【００６５】
【図１】端末装置１の正面外観を例示する概念図である。
【図２】（ａ）は、操作者ＨがストラップＳＴを掛けて端末装置１を利用する一例を示す概念図であり、（ｂ）は、操作者ＨがストラップＳＴを掛けて端末装置１を利用する一例を示す概念図である。
【図３】ストラップ収納部２の内部構成を例示する概念図である。
【図４】端末装置１の機能的構成を模式的に示すブロック図である。
【図５】（ａ）は、端末装置１の動作処理を例示するフローチャートであり、（ｂ）は、端末装置１のスキャナ読取処理を例示するフローチャートである。
【図６】（ａ）は、端末装置１の音声出力処理を例示するフローチャートであり、（ｂ）は、端末装置１の表示処理を例示するフローチャートである。
【図７】（ａ）は、端末装置１のスキャナ読取処理の変形例を例示するフローチャートであり、（ｂ）は、端末装置１の動作処理の変形例を例示するフローチャートである。
【図８】端末装置１ａの機能的構成を模式的に示すブロック図である。
【図９】端末装置１ｂの機能的構成を模式的に示すブロック図である。
【符号の説明】
【００６６】
１、１ａ、１ｂ  端末装置
２  ストラップ収納部
１０  制御部
２０  表示部
３０  操作部
４０  記憶部
４１、４１ａ  引出量対応動作テーブル
５０  スキャナ部
６０  引出量検出部
７０  音声出力部
８０、８０ａ  電源部
８１  メイン電源
８２  予備電源
９０  ＩＦ部
２０１  軸
２０２  巻き取りプーリ
２０３  歯車
２０４  軸
２０５  ロックピン
２０６、２０７  引出量検出スイッチ
Ｈ  操作者
Ｌ１、Ｌ２  引出量
ＰＣ  端末
ＰＣ１  記憶部
ＳＴ  ストラップ
【図１】
2008084097.tif 000003
【図２】
2008084097.tif 000004
【図３】
2008084097.tif 000005
【図４】
2008084097.tif 000006
【図５】
2008084097.tif 000007
【図６】
2008084097.tif 000008
【図７】
2008084097.tif 000009
【図８】
2008084097.tif 000010
【図９】
2008084097.tif 000011